(57)【要約】【課題】中間転写シートが長尺であってもその着脱を容易にすると共に、中間転写シートを支持する部分もヘッドユニットと同様に確実に支持できるようにする。【解決手段】第１の着脱ユニット（インクリボンカセット）Ｕ１と、第２の着脱ユニット（中間転写シートカセット）Ｕ２と、それらが着脱可能に設けた本体ユニットＵ５からなる印刷装置であり、本体ユニットのヘッドユニットＵ３に設けたユニット固定手段３３を時計回り方向に回動して横臥させ、凹部３３Ａとボス３６とを嵌合させると、ヘッドユニットＵ３とピンチローラユニットＵ４とがユニット固定手段を介して連結され、第１の着脱ユニットがユニット固定手段の左端側により押えられ、第２の着脱ユニットがユニット固定手段の右端側により押えられ、第１、第２の着脱ユニットが本体ユニットから前方に抜け出ることが防止され、ユニット固定手段を反時計回り方向に回動して起立させたときに、本体ユニットに対する第１、第２の着脱ユニットの着脱が可能となるようにした。【選択図】図３
2005132048.tif 000002
【特許請求の範囲】
【請求項１】
記録媒体に記録を行うヘッドユニットを備えた本体ユニットと、本体ユニットに着脱可能に設けられた第１および第２の着脱ユニットとを備えた印刷装置において、本体ユニット、第１および第２の着脱ユニットの何れかに取着されたユニット固定手段を備え、ユニット固定手段が残余のユニットに係合して第１および第２の着脱ユニットをユニット本体に固定するロック位置と、本体ユニットに対する第１および第２の着脱ユニットの着脱を可能にするアンロック位置とに切替え可能に取着されたことを特徴とする印刷装置。
【請求項２】
本体ユニットはシャーシと、一端がシャーシに片持ち支持され、インクリボンのインクを記録媒体である中間転写シートに転写させるためのヘッドユニットと、一端がシャーシに片持ち支持され、インクリボンおよび／または中間転写シートを案内するピンチローラユニットとを備え、第１の着脱ユニットはインクリボンを備え、第２の着脱ユニットは中間転写シートを備え、ユニット固定手段はヘッドユニットの他端とピンチローラユニットの他端との連結／分離をなす連結手段を備え、ユニット固定手段がロック位置に切替えられたときに、ヘッドユニットの他端とピンチローラユニットの他端とが連結手段により連結されて第１および第２の着脱ユニットを本体ユニットに対し着脱不能に固定し、ユニット固定手段がアンロック位置に切替えられたときに前記連結が解除されて、ヘッドユニットの他端とピンチローラユニットの他端とが分離して本体ユニットに対する第１および第２の着脱ユニットの着脱を可能とすることを特徴とする請求項１記載の印刷装置。
【請求項３】
本体ユニットはシャーシと、一端がシャーシに片持ち支持され、インクリボンのインクを記録媒体である中間転写シートに転写させるためのヘッドユニットと、一端がシャーシに片持ち支持され、インクリボンおよび／または中間転写シートを案内するピンチローラユニットとを備え、第１の着脱ユニットはインクリボンと、本体ユニットに装着されたときにヘッドユニットの他端またはシャーシの少なくとも何れかと係合可能な第１の連結手段とを備え、第２の着脱ユニットは中間転写シートと、本体ユニットに装着されたときにピンチローラユニットの他端またはシャーシの少なくとも何れかと係合可能な第２の連結手段とを備え、ユニット固定手段が前記第１の連結手段と第２の連結手段とからなることを特徴とする請求項１記載の印刷装置。
【請求項４】
ユニット固定手段のロック位置／アンロック位置の切替えが、ユニット固定手段の回動によりなされることを特徴とする請求項１〜３何れかに記載の印刷装置。
【請求項５】
ロック位置に回動されたユニット固定手段が係合するボスが、ユニット固定手段を備えないユニットに設けられたことを特徴とする請求項４記載の印刷装置。
【請求項６】
シャーシとの凹凸嵌合により本体ユニットに支持された第１の着脱手段の前面側竪板と凹凸嵌合して、ヘッドユニットの他端が第１の着脱手段の前面側竪板により支持されたことを特徴とする請求項２〜５何れかに記載の印刷装置。
【発明の詳細な説明】
【技術分野】
【０００１】
本発明は、複数色の単色インクがシート長手方向に繰返し配設されたインクリボンを用いて転写用の画像を記録媒体である中間転写シートの上に形成し、その中間転写シートの転写用画像を被印刷物の上に転写して、所要の画像をディスク、カードなどの被印刷物の上に形成するための印刷装置に関する。
【背景技術】
【０００２】
この種の印刷装置としては、例えば図９に示した構成の印刷装置１００Ｘが周知である（特許文献１）。
【０００３】
すなわち、印刷装置１００Ｘにおいては、シャーシ１（特許文献１ではフレームと記載されている）の後方部分に立設された支持板２ＸにヘッドユニットＵ３と中間転写ユニットＵ６とが装着されている。また、支持板２ＸにはリボンユニットＵ７が着脱自在に装着される構造となっている。
【０００４】
そして、ヘッドユニットＵ３の図示しないサーマルヘッドの発熱素子を選択的に発熱させて、支持板２Ｘに装着されたリボンユニットＵ７の図示しないリボンロールに設けるインクリボンのインクを溶融し、中間転写ユニットＵ６の図示しない中間転写体に一旦転写し、そのインクを所定の被印刷物に再転写して所望の印刷を行うようになっている。
【０００５】
そして、上記の印刷装置１００Ｘにおいては、ヘッドユニットＵ３が支持板２Ｘに片持ち支持される構成である。また、支持板２Ｘに設けた位置決め突起５１とリボンユニットＵ７の位置決め穴５２とを嵌合させると共に、ヘッドユニットＵ３の位置決め突起５３とリボンユニットＵ７の位置決め穴５４とを嵌合させ、さらにヘッドユニットＵ３のストッパーレバー５５を回動させてストッパーレバー５５の一端部をリボンユニットＵ７の係合部５６に係合させて、リボンユニットＵ７をフレーム１に固定するようになっている。
【０００６】
上記構成としたことにより、ヘッドユニットＵ３の片持ち支持の他方がリボンユニットＵ７の支持枠５７により支持されるので、ヘッドユニットＵ３の支持が確実になされる。
【特許文献１】２００２−３３７３６９号公報
【発明の開示】
【発明が解決しようとする課題】
【０００７】
しかし、特許文献１に提案された印刷装置においては、中間転写ユニットの中間転写体がシートボビンに巻回された長尺の中間転写シートであるときには、そのシートの着脱も容易に行えるようにすると共に、中間中間転写シートを保持する部分もヘッドユニットと同様に確実に支持できるようにする必要があり、その解決が課題となっていた。
【課題を解決するための手段】
【０００８】
本発明は、被印刷物に印刷を行うヘッドユニットを備えた本体ユニットと、本体ユニットに着脱可能に設けられた第１および第２の着脱ユニットとを備えた印刷装置において、本体ユニット、第１および第２の着脱ユニットの何れかに取着されたユニット固定手段を備え、ユニット固定手段が残余の２つのユニットに係合して３つのユニットを連結・固定するロック位置と、本体ユニットに対する第１および第２の着脱ユニットの着脱を可能にするアンロック位置とに切替え可能に取着することを最も主要な特徴とする。
【発明の効果】
【０００９】
ユニット固定手段をロック位置にすると、本体ユニット、第１および第２の着脱ユニットの連結・固定がなされ、ユニット固定手段をアンロック位置にすると、本体ユニットに対する第１および第２の着脱ユニットの着脱が可能となるので、第１および第２の着脱ユニットの本体ユニットに対する着脱が容易に行える。また、本体ユニットに対し、第１および第２の着脱ユニットを確実に固定することができる。
【発明を実施するための最良の形態】
【００１０】
被印刷物に印刷を行うヘッドユニットを備えた本体ユニットと、本体ユニットに着脱可能に設けられた第１および第２の着脱ユニットと、前記何れかのユニットに取着されたユニット固定手段とを備え、ユニット固定手段が残余のユニットに係合して３つのユニットを連結し、第１および第２の着脱ユニットを本体ユニットに対して固定するロック位置と、本体ユニットに対する第１および第２の着脱ユニットの着脱を可能にするアンロック位置とに切替え可能に取着され、且つ、本体ユニットがシャーシと、一端がシャーシに片持ち支持され、インクリボンのインクを記録媒体である中間転写シートに転写させるためのヘッドユニットと、一端がシャーシに片持ち支持され、インクリボンおよび／または中間転写シートを案内するピンチローラユニットとを備え、第１の着脱ユニットはインクリボンを備え、第２の着脱ユニットは中間転写シートを備え、ユニット固定手段はヘッドユニットの他端とピンチローラユニットの他端との連結／分離をなす連結手段を備え、ユニット固定手段がロック位置に切替えられたときに、ヘッドユニットの他端とピンチローラユニットの他端とが連結手段により連結されて第１および第２の着脱ユニットを本体ユニットに対し着脱不能に固定し、ユニット固定手段がアンロック位置に切替えられたときに前記連結が解除されて、ヘッドユニットの他端とピンチローラユニットの他端とが分離して本体ユニットに対する第１および第２の着脱ユニットの着脱を可能とした印刷装置。
【実施例１】
【００１１】
本発明の一実施例を、図１〜図８に基づいて説明する。図面に例示した本発明の印刷装置１００は、インクリボンカセットからなる第１の着脱ユニットＵ１と、中間転写シートカセットからなる第２の着脱ユニットＵ２と、第１の着脱ユニットＵ１と第２の着脱ユニットＵ２とが着脱可能に作製された本体ユニットＵ５とから構成されている。
【００１２】
本体ユニットＵ５は、支持竪板２が後方側に起立したシャーシ１を備え、その支持竪板２の前面側にヘッドユニットＵ３とピンチローラユニットＵ４とが片持ち支持されて装着されている。また、シャーシ１には、画像転写手段４と被印刷物搬送手段５とが装着されている。被印刷物搬送手段５は画像転写手段４の下側にトレイ６が左右方向に移動可能に設置されて、トレイ６に搭載されたＣＤ、ＤＶＤなどの被印刷物Ｍを装置右側から画像転写手段４の下に取り込み、画像を転写した後に装置右側に搬出可能に設けられている。
【００１３】
第１の着脱ユニットＵ１は、前面側竪板７（詳細には、比較的薄い鋼板と比較的厚い樹脂板との貼り合わせ板から構成されている）と、背面側竪板８と、それらの間に回転自在に架設されたインクリボン送出ボビン９とインクリボン巻取ボビン１０とを上下に備えて、ヘッドユニットＵ３をガイドとして図３の矢印方向にスライドして押し込むことで、ヘッドユニットＵ３の支持竪板２側に上下左右方向に突出形成された凸部１１に当接して、後方の支持竪板２側が位置決めされ、前面側竪板７に開設した上下３個の係合固定穴１３Ａ、１３Ｂ、１３Ｃに、ヘッドユニットＵ３の前面側竪板１４に設けた上下２個の係合固定用ボス１５Ａ、１５Ｂと、シャーシ１の前側部分に設けた係合固定用ボス１５Ｃとがそれぞれ嵌合して、前方側が位置決めされると共に、前方側がシャーシ１に支持され、そのように位置決め支持されたときに、インクリボン送出ボビン９の後方の円形凹部９Ａと、インクリボン巻取ボビン１０の後方の円形凹部１０Ａとが、支持竪板２の前面側に椀状に突出形成した上下２個の回転軸１６Ａ、１６Ｂにそれぞれ嵌合して、本体ユニットＵ５に装着されるように設けてある。
【００１４】
そして、下側の回転軸１６Ｂが図示しないモータにより駆動されて、下側のインクリボン巻取ボビン１０が回転駆動され、その回転するインクリボン巻取ボビン１０によりインクリボン送出ボビン９に巻かれているインクリボンＳ１が、複数個のガイドローラによりヘッドユニットＵ３の部分を経由して、インクリボン巻取ボビン１０に巻取られるようになっている。
【００１５】
第２の着脱ユニットＵ２は、前面側竪板１７（詳細には、比較的薄い鋼板と比較的厚い樹脂板との貼り合わせ板から構成されている）と、背面側竪板１８と、それらの間に回転自在に架設された中間転写シート送出ボビン１９と中間転写シート巻取ボビン２０とを左右に備えて、画像転写手段４をガイドとして図３の矢印方向にスライドして押し込むことで、背面側竪板１８に開設した係合固定穴２１に支持竪板２の前面側に設けた係合固定用ボス２２が嵌合して、後方の支持竪板２側が位置決めされ、前面側竪板１７の中段部に開設した左右２個の係合固定穴２３Ａ、２３Ｂに画像転写手段４の前面側竪板２４に設けた左右２個の係合固定用ボス２５Ａ、２５Ｂが嵌合すると共に、左側に開設した上下２個の係合固定穴２６Ａ、２６ＢとピンチローラユニットＵ４の前面側竪板２７に設けた上下２個の係合固定用ボス２８Ａ、２８Ｂとが嵌合し、さらに右側下部に開設した係合固定穴２９と、シャーシ１に設けた前方支持竪板３の前面側の係合固定用ボス３０とが嵌合して、前方側の位置決めがなされるように設けてある。
【００１６】
そして、第２の着脱ユニットＵ２が上記のように位置決めされたときに、中間転写シート送出ボビン１９の後方の円形凹部１９Ａと、中間転写シート巻取ボビン２０の後方の円形凹部２０Ａとが、支持竪板２の前面側に椀状に突出形成した左右２個の回転軸３１Ａ、３１Ｂにそれぞれ嵌合して、本体ユニットＵ５に装着されるように設けてある。
【００１７】
第２の着脱ユニットＵ２の場合は、左右２個の回転軸３１Ａ、３１Ｂが、図示しない２個のモータの選択駆動により適宜駆動されて、中間転写シート送出ボビン１９に巻かれている中間転写シートＳ２を複数個のガイドローラによりピンチローラユニットＵ４、画像転写手段４の部分を経由して中間転写シート巻取ボビン２０に巻取ることも、その逆に中間転写シート巻取ボビン２０から中間転写シート送出ボビン１９に巻戻すことも可能になっている。
【００１８】
また、ヘッドユニットＵ３の前面側竪板１４には、ユニット固定手段３３が支軸３４により枢着されて、鉛直面内で回動可能になっている。支軸３４にはユニット固定手段３３を時計回り方向に付勢させるためのばね３５が設けられている。そして、ユニット固定手段３３には時計回り方向に回動して横臥させたときに、３時方向を示す右端３３Ｒ側に片寄せて、ピンチローラユニットＵ４の前面側竪板２７に設けたボス３６が嵌合可能な凹部３３Ａが設けられている。
【００１９】
また、凹部３３Ａを臨む部分には、ボス３６に設けた円周溝３６Ａに遊嵌可能な薄板からなる嵌合部３３Ｂが設けられて、ボス３６の円周溝３６Ａに嵌合部３３Ｂが遊嵌したときに、ユニット固定手段３３の右端３３Ｒ側が前後方向にずれないようになっている。また、ユニット固定手段３３には操作用の把手３３Ｃも設けられている。
【００２０】
さらに、ユニット固定手段３３は時計回り方向に回動して横臥したときに、３時方向を示す右端３３Ｒ側が前面側竪板１４から右側に外れて、本体ユニットＵ５に押入装着される第２の着脱ユニットＵ２の位置まで突出可能に、９時方向を示す左端３３Ｌ側が前面側竪板１４から左側に外れて、本体ユニットＵ５に押入装着される第１の着脱ユニットＵ１の位置まで突出可能に、比較的細長く設けられている。そして、その細長く形成された本体部分が、請求項２で云う連結手段となる。
【００２１】
また、第１の着脱ユニットＵ１と第２の着脱ユニットＵ２とは、本体ユニットＵ５に押入装着されたときに、それぞれの前面がユニット固定手段３３が枢着されているヘッドユニットＵ３の前面側竪板１４の前面と同一平面、若しくはそれより若干凹むように設けてある。
【００２２】
したがって、第１の着脱ユニットＵ１と第２の着脱ユニットＵ２とを本体ユニットＵ５に装着し、ユニット固定手段３３を時計回り方向に回動して横臥させ、凹部３３Ａとボス３６とを嵌合させると、ヘッドユニットＵ３とピンチローラユニットＵ４とはユニット固定手段３３を介して連結されると共に、第１の着脱ユニットＵ１の前面側竪板７がユニット固定手段３３の左端３３Ｌ側により押えられ、第２の着脱ユニットＵ２の前面側竪板１７がユニット固定手段３３の右端３３Ｒ側により押えられ、第１の着脱ユニットＵ１と第２の着脱ユニットＵ２とが本体ユニットＵ５から前方に抜け出ることが防止される。
【００２３】
一方、ユニット固定手段３３を反時計回り方向に回動して起立させると、ユニット固定手段３３を介してなされていたヘッドユニットＵ３とピンチローラユニットＵ４との連結は解除され、本体ユニットＵ５に対する第１の着脱ユニットＵ１、第２の着脱ユニットＵ２の着脱が可能となる。
【００２４】
また、第１の着脱ユニットＵ１を本体ユニットＵ５に装着すると、係合固定穴１３Ａ、１３Ｂと係合固定用ボス１５Ａ、１５Ｂとがそれぞれ嵌合して、支持竪板２の前面側に片持ち支持されているヘッドユニットＵ３の前面側竪板１４が、第１の着脱ユニットＵ１の前面側竪板７により支持され、係合固定穴１３Ｃと係合固定用ボス１５Ｃとが嵌合して、その前面側竪板７がシャーシ１の前側部分により支持されるので、支持竪板２の前面側に片持ち支持されているヘッドユニットＵ３の前方側が自重で下に撓むことがない。
【００２５】
上記構成になる本発明の印刷装置１００においては、例えば図７に示したように、インクリボン送出ボビン９からインクリボン巻取ボビン１０に巻取られるインクリボンＳ１は、複数個のガイドローラにより案内されて、ヘッドユニットＵ３の部分を通過するように設けられている。また、中間転写シート送出ボビン１９から中間転写シート巻取ボビン２０に巻取られる中間転写シートＳ２は、複数個のガイドローラにより案内されて、ピンチローラユニットＵ４、画像転写手段４の部分を通過するように設けられている。
【００２６】
そして、ピンチローラユニットＵ４を画像転写手段４のプラテンローラ３７側に回動すると、２個のピンチローラ３８の作用により中間転写シートＳ２がプラテンローラ３７に密着する。そのプラテンローラ３７に密着している中間転写シートＳ２の左側にインクリボンＳ１が密着され、その状態でヘッドユニットＵ３のサーマルヘッド３９の発熱素子を選択的に発熱させてインクリボンＳ１の図示しないインクが溶融され、中間転写シートＳ２に移されて画像が得られる。
【００２７】
インクリボンＳ１には、例えばブラック、シアン、マゼンタ、イエローの４色の単色インクが長手方向にこの順で繰返し配設されており、インクリボンＳ１は矢印方向に順送りし、中間転写シートＳ２はインクリボンＳ１から単色インクを転写する度に中間転写シート送出ボビン１９の側に巻戻し、その後に中間転写シート巻取ボビン２０側に巻取りながら次の単色インクを同じ画像形成域に転写する操作を繰り返して、４色の単色インクを順次転写することで、フルカラーの画像４１が中間転写シートＳ２に形成される。
【００２８】
そして、内部に発熱手段を備えた画像転写手段４の画像転写ローラ４０を降下させて中間転写シートＳ２をトレイ６の被印刷物Ｍに密着させながら、中間転写シートＳ２と被印刷物Ｍとを同じ速度で移動させることにより、中間転写シートＳ２に形成されたフルカラーの画像４１が被印刷物Ｍに転写され、被印刷物Ｍに対する印刷４２がなされる。
【００２９】
なお、本発明は上記実施例に限定されるものではないので、特許請求の範囲に記載の趣旨から逸脱しない範囲で各種の変形実施が可能である。
【００３０】
例えば、ユニット固定手段３３をピンチローラユニットＵ４に設け、ボス３６をヘッドユニットＵ３に設け、ユニット固定手段３３を反時計回り方向に回動して横臥させ、ユニット固定手段３３とボス３６とが係合したときに、ヘッドユニットＵ３とピンチローラユニットＵ４とがユニット固定手段３３を介して連結されると共に、第１の着脱ユニットＵ１の前面側竪板７がユニット固定手段３３の左端側により押えられ、第２の着脱ユニットＵ２の前面側竪板１７がユニット固定手段３３の右端側により押えられて、第１の着脱ユニットＵ１と第２の着脱ユニットＵ２とが本体ユニットＵ５から前方に抜け出ることがないようにすることも可能である。
【００３１】
また、ユニット固定手段３３は、第１の着脱ユニットＵ１の前面側竪板７などに回動可能に設けられて、第１の着脱ユニットＵ１が本体ユニットＵ５に押入装着され、回動したときに一端がヘッドユニットＵ３に設けた凹部に嵌入し、他端がシャーシ１に設けた凹部に嵌入して、第１の着脱ユニットＵ１が本体ユニットＵ５の前方に抜け出ることを防止する第１の連結手段と、第２の着脱ユニットＵ２の前面側竪板１７などに回動可能に設けられて、第２の着脱ユニットＵ２が本体ユニットＵ５に押入装着され、回動したときに一端がピンチローラユニットＵ４に設けた凹部に嵌入し、他端がシャーシ１に設けた凹部に嵌入して、第２の着脱ユニットＵ２が本体ユニットＵ５の前方に抜け出ることを防止する第２の連結手段とで構成することも可能である。
【産業上の利用可能性】
【００３２】
本発明の印刷装置１００により印刷する被印刷物Ｍとしては、テレホンカード、クレジットカードなどのカード類であっても良いし、標識などを作製するための単なるプレートなどであっても良い。
【図面の簡単な説明】
【００３３】
【図１】本発明装置を正面から見たときの説明図である。
【図２】本発明装置の要部（ユニット固定手段）の説明図であり、（Ａ）は正面から見たときの説明図、（Ｂ）は上から見たときの説明図である。
【図３】第１の着脱ユニットと第２の着脱ユニットとを本体ユニットから外したときの本発明装置の説明図である。
【図４】本発明装置の要部（本体ユニット）の説明図である。
【図５】本発明装置の要部（第１の着脱ユニット）の説明図である。
【図６】本発明装置の要部（第２の着脱ユニット）の説明図である。
【図７】本発明装置の画像形成部分の説明図であり、（Ａ）は待機時の説明図、（Ｂ）はインクリボンから中間転写シートにインクを転写しているときの説明図である。
【図８】印刷時の状態を示す説明図であり、（Ａ）は中間転写シートから画像を被印刷物に転写するときの説明図、（Ｂ）は画像が印刷された被印刷物の説明図である。
【図９】従来技術の説明図である。
【符号の説明】
【００３４】
１  シャーシ
２  支持竪板
３  前方支持竪板
４  画像転写手段
５  被印刷物搬送手段
６  トレイ
７  前面側竪板
８  背面側竪板
９  インクリボン送出ボビン
９Ａ  円形凹部
１０  インクリボン巻取ボビン
１０Ａ  円形凹部
１１  凸部
１３Ａ、１３Ｂ、１３Ｃ  係合固定穴
１４  前面側竪板
１５Ａ、１５Ｂ、１５Ｃ  係合固定用ボス
１６Ａ、１６Ｂ  回転軸
１７  前面側竪板
１８  背面側竪板
１９  画像転写リボン送出ボビン
１９Ａ  円形凹部
２０  画像転写リボン巻取ボビン
２０Ａ  円形凹部
２１  係合固定穴
２２  係合固定用ボス
２３Ａ、２３Ｂ  係合固定穴
２４  前面側竪板
２５Ａ、２５Ｂ  係合固定用ボス
２６Ａ、２６Ｂ  係合固定穴
２７  前面側竪板
２８Ａ、２８Ｂ  係合固定用ボス
２９  係合固定穴
３０  係合固定用ボス
３１Ａ、３１Ｂ  回転軸
３３  ユニット固定手段
３３Ａ  凹部
３３Ｂ  嵌合部
３３Ｃ  把手
３３Ｌ  左端
３３Ｒ  右端
３４  支軸
３５  ばね
３６  ボス
３６Ａ  円周溝
３７  プラテンローラ
３８  ピンチローラ
３９  サーマルヘッド
４０  画像転写ローラ
４１  画像
４２  印刷
Ｍ  被印刷物
Ｓ１  インクリボン
Ｓ２  中間転写シート
Ｕ１  第１の着脱ユニット
Ｕ２  第２の着脱ユニット
Ｕ３  ヘッドユニット
Ｕ４  ピンチローラユニット
Ｕ５  本体ユニット
１００、１００Ｘ  印刷装置
【図１】
2005132048.tif 000003
【図２】
2005132048.tif 000004
【図３】
2005132048.tif 000005
【図４】
2005132048.tif 000006
【図５】
2005132048.tif 000007
【図６】
2005132048.tif 000008
【図７】
2005132048.tif 000009
【図８】
2005132048.tif 000010
【図９】
2005132048.tif 000011